(57)【要約】      （修正有）【課題】カメラ内蔵ディスプレイ装置にて、液晶表示部に内蔵したカメラの広視野角の実現と表示データ加工、カメラ画像加工が内蔵され、全てが一体型となることにより多目的な用途で使用出来るディスプレイ装置を提供する。【解決手段】カメラ内蔵ディスプレイ装置１にて、カメラ画像合成部１２を内蔵し、制御信号又は、種々のセンサー信号により、複数のカメラ画像を１つのカメラ画像へ合成させ１つのカメラ画像では、実現不可能な広範囲のカメラ画像を可能とする。又、カメラ内蔵ディスプレイ装置１に表示データの加工として、映像合成部１０を内蔵させ、制御信号により、２系統の表示データの表示設定ができ、種々の表示データの組み合わせと内蔵された表示データからの選択も可能とさせることで、多目的な使用用途で使用できる。【選択図】図１
2009015272.tif 000002
【特許請求の範囲】
【請求項１】
液晶表示部に表示データを映し出しながら、液晶表示部に内蔵したカメラより撮影可能な液晶表示部と外部から入力される表示データ、内蔵している表示データを液晶表示部で映しだす表示データの加工機能と液晶表示部の内部に内蔵したカメラにて撮影したカメラ画像の加工機能を備えることを特徴とするカメラ内蔵液晶ディスプレイ装置。
【請求項２】
液晶表示部は、液晶表示部のフロント側より、フロント側偏光板、液晶層、レンズ付のガラス板、リア側偏光板の順に構成され、リア側偏光板には、光を取り込むカメラ取り付け用の孔を設け、この孔は、カメラの取り付け台数により任意に設けられ、又、レンズ付きガラス板もリア側偏光板の孔と同様に、リア側偏光板の孔の位置、角度にあわせてガラス板にレンズを埋め込んでいる構造を備えたことを特徴とする請求項１に記載のカメラ内蔵液晶ディスプレイ装置。
【請求項３】
表示データの加工機能として、暗号化された正規の表示データと暗号化されていない表示データの２系統の表示データにて、暗号化された正規の表示データは、カメラ内蔵ディスプレイ装置と暗号化された正規の表示データがそろわないかぎり表示データが映しだされない表示データ著作権保護が可能となる機能を有した復号部と制御信号により２系統の表示データそれぞれの表示サイズ、位置の変更機能と液晶表示部に映し出すための合成機能とカメラ内蔵ディスプレイ装置に内蔵している記憶部より送られてくる表示データと２系統の表示データから選択し液晶表示部に映し出すための選択機能を有した映像合成部を備えたことを特徴とする請求項１又は、請求項２に記載のカメラ内蔵液晶ディスプレイ装置。
【請求項４】
カメラ画像の加工機能として、制御信号又は、赤外線、温度、湿度、加速度、衝撃、接触、レーダー、音、圧力、光、ガス、回転、角度、振動、傾斜、磁気、電流、電波、超音波、照度のセンサー信号により、液晶表示部に内蔵された複数個のカメラよりカメラ画像を取り込み、１つのカメラ画像に合成する合成機能と外部の記憶媒体へ送信出来るカメラ画像送信機能を備えたカメラ画像合成部を備えたことを特徴とする請求項１又は、請求項２又は、請求項３に記載のカメラ内蔵液晶ディスプレイ装置。
【発明の詳細な説明】
【技術分野】
【０００１】本発明は、カメラ機能と表示データの加工機能とカメラ画像の加工機能が一体化されたカメラ内蔵ディスプレイ装置に関するものである。
【背景技術】
【０００２】従来のカメラ内蔵ディスプレイ装置は、液晶表示部に１台のカメラを内蔵しているのみで、１台のカメラの撮影範囲となっており、広範囲の撮影画像を得られないものとなっている。【０００３】又、表示データの加工、カメラ画像の加工をディスプレイ本体に内蔵させておらず、外部装置で加工している。
【発明の開示】
【発明が解決しようとする課題】
【０００４】本発明は、このような従来のカメラ内蔵ディスプレイ装置が有していた問題を解決し、複数のカメラと表示データの加工機能とカメラ画像の加工機能が内蔵されたカメラ内蔵ディスプレイ装置を実現させ提供することを目的とする。
【課題を解決するための手段】
【０００５】カメラ内蔵ディスプレイ装置は、基本機能として、カメラを内蔵した液晶表示部、入出力制御部、映像合成部、復号部、カメラ画像合成部、制御部、記憶部、電源部を有する。【０００６】液晶表示部のリア側偏光板のみ孔を設け、カメラを取り付けることにより、リア側偏光板の孔とカメラは視聴者側より見えなくする一方、リア側偏光板の孔により、カメラの撮影に必要な光は視聴者側より入光することでカメラ撮影が可能となる。又、複数個のカメラを取り付け、それぞれのカメラに角度を持たせることで広範囲に画像を撮影することができ、カメラの前方にレンズ付きガラスを配置することで、レンズにより１つ１つのカメラの視野角を広げることも可能となる。【０００７】表示データの加工を行う映像合成部をカメラ内蔵ディスプレイ装置に内蔵することにより、表示データを送信するだけで表示データが加工され液晶表示部に表示される。又、制御信号により、液晶表示部に映しだす２系統の表示データの表示方法が任意に設定でき、種々の表示データを組み合わせることが可能となる。又、制御信号の信号内容により、カメラ内蔵ディスプレイ装置に内蔵している記憶部より送られてくる表示データと２系統の表示データから選択し液晶表示部に映し出すことも可能となる。【０００８】カメラ内蔵ディスプレイ装置に復号部を有することで、暗号化された正規の表示データのみ表示可能となる。よって、暗号化された正規の表示データは、カメラ内蔵ディスプレイ装置でないかぎり表示出来ないため、表示データの著作権保護が可能となる。【０００９】カメラ画像の加工を行うカメラ画像合成部をカメラ内蔵ディスプレイ装置に内蔵することにより、制御信号又は種々のセンサー信号をカメラ内蔵ディスプレイ装置に送信するだけでカメラ画像は加工され外部へ送信される。
【発明の効果】
【００１０】以上より、本発明は、液晶表示部にカメラを内蔵させ、カメラの視野角を広範囲に実現することで、通常使用されているテレビ会議、テレビ電話といった使用用途に限らず、防犯、監視等の多目的な用途で使用可能となる。【００１１】又、種々の加工機能を一体化とすることで、前記同様に使用用途が限定されることなく、多目的な用途で使用可能となる。
【発明を実施するための最良の形態】
【００１２】本発明の実施の形態を図１〜図６に基づいて説明する。【００１３】本発明全体システムの単純構成は、図１に示すとおりである。【００１４】カメラ内蔵ディスプレイ装置は、カメラ内蔵液晶部１、入出力制御部３、記憶部４、電源部５、復号部６、制御部９、映像合成部１０、カメラ画像合成部１２で構成される。【００１５】カメラ内蔵の液晶表示部の内部基本構成は、図２に示すとおりである。【００１６】カメラ内蔵液晶表示部側面１ａの内部基本構成は、図２に示すとおりフロント側より、フロント偏光板１１ａ、フロントガラス１１ｂ、液晶層１１ｃ、リアガラス１１ｄ、レンズ付きガラス１１ｅ、リア偏光板１１ｆ、カメラ８ａ〜８ｃ、バックライト７ａ〜７ｂから構成される。【００１７】リア偏光板１１ｆには、光を取り込むカメラ用の孔を設け、この孔にカメラ８ａ〜８ｃを取り付ける。リア偏光板１１ｆの孔は、カメラ８ａ〜８ｃを任意の箇所に取り付けられるように、カメラ８ａ〜８ｃの位置、角度にあわせて孔を設ける。レンズ付きガラス板１１ｅは、リア偏光板１１ｆの孔の位置、角度にあわせてガラス板にレンズを埋め込む。【００１８】図３は、カメラ内蔵液晶表示部正面１ｂにて、カメラ８ｄ〜８ｈを５台配置した場合を示す。【００１９】映像合成部の内部基本構成は、図４に示すとおりである。【００２０】図４のように、表示データ２は、映像合成部１０のサイズ変更部１０ａに直接入力され、入出力制御部３に入力された制御信号が制御部９をとおりサイズ変更部１０ａに送られることにより、表示データ２の表示サイズが変更される。又、入出力制御部３に入力される暗号化された表示データは、復号部６にて暗号化を解除され、映像合成部１０のサイズ変更部１０ｂに入力される。入出力制御部に入力された制御信号が制御部９をとおりサイズ変更部１０ｂに送られることにより、暗号化を解除された表示データの表示サイズが変更される。サイズ変更された表示データは合成部１０ｃで合成され、カメラ内蔵液晶表示部１で表示される。又、入出力制御部３に入力される制御信号の信号内容により、その制御信号が制御部９をとおり合成部９へ送られることで、サイズ変更部１０ａ、サイズ変更部１０ｂから合成部１０ｃへ送られる表示データと記憶部１４より制御部９をとおり合成部１０ｃに送られる表示データから合成部１０ｃで選択しカメラ内蔵液晶表示部１で表示される。【００２１】復号部の基本構成は、図５に示すとおりである。【００２２】図５のように、入出力制御部３に入力される暗号化された表示データは、復号部６に送られ復号部６にて正規の表示データか照合する。正規の表示データの場合、暗号化された表示データの暗号は解除され、映像合成部１０に送られる。【００２３】カメラ画像合成部の基本構成は、図６に示すとおりである。【００２４】図６のように、カメラ内蔵液晶表示部１のカメラ８よりカメラ画像合成部１２へカメラ画像が送られる。入出力制御部３に入力された制御信号又は、種々のセンサー信号が制御部９をとおりカメラ画像合成部１２へ送られることにより、カメラ画像合成部１２は、複数のカメラ画像を合成し入出力制御部３より出力される。
【図面の簡単な説明】
【００２５】
【図１】本発明のシステム構成図
【図２】カメラ内蔵の液晶表示部の内部基本構成側面図
【図３】カメラ内蔵の液晶表示部のカメラ配置参考図
【図４】映像合成部の内部基本構成図
【図５】復号部の基本構成図
【図６】カメラ画像合成部の基本構成図
【符号の説明】
【００２６】１  カメラ内蔵液晶部  １ａ  カメラ内蔵液晶表示部側面  １ｂ  カメラ内蔵液晶表示部正面  ２  表示データ  ３  入出力制御部  ４  記憶部  ５  電源部  ６  復号部  ７  バックライト部  ７ａ  バックライト  ８  カメラ  ９  制御部  １０  映像合成部  １０ａ  サイズ変更部  １０ｂ  サイズ変更部  １０ｃ  合成部  １１  液晶表示部  １１ａ  フロント側偏光板  １１ｂ  フロントガラス  １１ｃ  液晶層  １１ｄ  リアガラス  １１ｅ  レンズ付きガラス  １１ｆ  リア側偏光板  １２  カメラ画像合成部
【図１】
2009015272.tif 000003
【図２】
2009015272.tif 000004
【図３】
2009015272.tif 000005
【図４】
2009015272.tif 000006
【図５】
2009015272.tif 000007
【図６】
2009015272.tif 000008